(57)【特許請求の範囲】
【請求項１】
光ディスクに設けられた複数の記録面における一の記録面に対して、対物レンズを介して光ビームの焦点を追従させる光ディスク装置において、
上記一の記録面に追従されている焦点が外れたか否かを検知する検知手段と、
上記複数の記録面のうち、上記光ビームが照射される側に設けられた最外層の記録面を除く上記一の記録面に追従されている焦点が外れたことを上記検知手段により検知された場合、所定の探索時間において、上記光ディスクより所定距離とおざかる探索開始位置から当該光ディスクに近づける方向へ上記対物レンズを移動させ、上記検知手段により上記最外層の記録面に焦点が合ったことを検知されたとき、焦点が外れた一の記録面に対する焦点を探索するフォーカスサーチ手段と、
上記探索時間に、上記検知手段により上記最外層の記録面に焦点が合ったことを検知されないとき、上記光ディスクに傷又は偏心の恐れがある旨を通知する通知手段と
を具えることを特徴とする光ディスク装置。
【請求項２】
上記探索時間は、
上記複数の記録面それぞれに対する探索時間ではなく、上記光ディスクに対する上記対物レンズの接触回避用として、一の探索時間でなる
ことを特徴とする請求項１に記載の光ディスク装置。
【請求項３】
光源から発射された光ビームが対物レンズにより集光された後に光ディスクに照射され、その反射光の光量に応じた光量信号に基づいて上記対物レンズを移動させるフォーカス制御方法において、
上記光ディスクに設けられた複数の記録面のうち、上記光ビームが照射される側に設けられた最外層の記録面を除く一の記録面に追従されている焦点が外れたことを検知された場合、所定の探索時間において、上記対物レンズを上記光ディスクより所定距離とおざかる探索開始位置から当該光ディスクに近づける方向へ移動させて上記最外層の記録面に対する焦点を探索する第１のフォーカスサーチステップと、
上記最外層の記録面に焦点が合ったことを検知されたとき、焦点が外れた一の記録面に対する焦点を探索する第２のフォーカスサーチステップと、
上記探索時間に、上記最外層の記録面に焦点が合ったことを検知されないとき、上記光ディスクに傷又は偏心の恐れがある旨を通知する通知ステップと
を具えることを特徴とするフォーカス制御方法。
【発明の詳細な説明】
【０００１】
【発明の属する技術分野】
本発明は光ディスク装置及びフォーカス制御方法に関し、例えばＤＶＤ(Digital Versatile Disk)に記録された映像データを再生する光ディスク再生装置に適用して好適なものである。
【０００２】
【従来の技術】
従来、図４に示すように、光ディスク再生装置１は、所定の光源（図示せず）から発射された光ビームＲを対物レンズ３を介して集光し、ＤＶＤ２の厚み方向へ順に設けられた第１層記録面２Ａ及び第２層記録面２Ｂのいずれか一方に照射する。
【０００３】
この光ディスク再生装置１は、再生を開始する場合には、ＤＶＤ２より所定距離とおざかる所定の探索開始位置ＢＰから対物レンズ３をＤＶＤ２に近づける方向へ徐々に移動させて第１層記録面２Ａ又は第２層記録面２Ｂに焦点ｆを合わせることにより、当該焦点が合った第１層記録面２Ａ又は第２層記録面２Ｂにおける光ビームＲの反射光（図示せず）に基づいて得られる映像データを再生するようになされている。
【０００４】
【発明が解決しようとする課題】
ところでかかる構成の光ディスク再生装置１においては、第２層記録面２Ｂに追従させている焦点ｆが外れた場合、対物レンズ３をその時点の位置よりもＤＶＤ２に近接する近接位置Ｐ１まで移動させた後、当該近接位置Ｐ１から探索開始位置ＢＰ側へ移動させながら第２層記録面２Ｂに焦点ｆが合う位置Ｐ２を探索するようになされている。
【０００５】
しかしながら、光ディスク再生装置１においては、例えばＤＶＤ２が偏心していると、近接位置Ｐ１に移動させた対物レンズ３をＤＶＤ２に接触させて破損させる恐れがあった。
【０００６】
本発明は以上の点を考慮してなされたもので、対物レンズの破損をほぼ確実に回避し得る光ディスク装置及びフォーカス制御方法を提案しようとするものである。
【０００７】
【課題を解決するための手段】
かかる課題を解決するため本発明は、光ディスクに設けられた複数の記録面における一の記録面に対して、対物レンズを介して光ビームの焦点を追従させる光ディスク装置であって、一の記録面に追従されている焦点が外れたか否かを検知する検知手段と、複数の記録面のうち、光ビームが照射される側に設けられた最外層の記録面を除く一の記録面に追従されている焦点が外れたことを検知手段により検知された場合、所定の探索時間において、光ディスクより所定距離とおざかる探索開始位置から当該光ディスクに近づける方向へ対物レンズを移動させ、検知手段により最外層の記録面に焦点が合ったことを検知されたとき、焦点が外れた一の記録面に対する焦点を探索するフォーカスサーチ手段と、探索時間に、検知手段により最外層の記録面に焦点が合ったことを検知されないとき、光ディスクに傷又は偏心の恐れがある旨を通知する通知手段とを設けるようにした。
【０００９】
また本発明は、光源から発射された光ビームが対物レンズにより集光された後に光ディスクに照射され、その反射光の光量に応じた光量信号に基づいて対物レンズを移動させるフォーカス制御方法であって、複数の記録面のうち、光ビームが照射される側に設けられた最外層の記録面を除く一の記録面に追従されている焦点が外れたことを検知された場合、所定の探索時間において、対物レンズを光ディスクより所定距離とおざかる探索開始位置から当該光ディスクに近づける方向へ移動させて最外層の記録面に対する焦点を探索する第１のフォーカスサーチステップと、最外層の記録面に焦点が合ったことを検知されたとき、焦点が外れた一の記録面に対する焦点を探索する第２のフォーカスサーチステップと、探索時間に、最外層の記録面に焦点が合ったことを検知されないとき、光ディスクに傷又は偏心の恐れがある旨を通知する通知ステップとを設けるようにした。
【００１０】
従って、本発明は、最外層の記録面に焦点が合ったことを理由に光ディスクにはキズや偏心等が生じていないことを確認した上で、焦点が外れた一の記録面に焦点を合わせるので、該焦点が外れた一の記録面に対する焦点が検知されないために光ディスクに近づける方向へ移動させている対物レンズを光ディスクに接触させてしまうことをほぼ確実に電気的に制御することができる。
【００１１】
【発明の実施の形態】
以下図面について、本発明の一実施の形態を詳述する。
【００１２】
図１において、１０は全体として本発明を適用した光ディスク再生装置を示し、マイクロコンピュータ（以下、これをマイコンと呼ぶ）１１により当該マイコン１１の内部メモリ（図示せず）に記憶された各種プログラムに従って光ディスク再生装置１０を統括的に制御するようになされている。
【００１３】
マイコン１１は、第一及び第二の記録面を有するＤＶＤ(Digital Versatile Disk)１２をスピンドルモータ（図示せず）を介して回転駆動させると共に、光ピックアップ１３に設けられた光源としての光源１４を駆動させて光ビームＲ１を発射させる。
【００１４】
この光ビームＲ１は、光ピックアップ１３に設けられているグレーティングレンズ１５を透過してビームスプリッタ１６で折り曲げられた後、光学レンズとしての対物レンズ１７により集光されてＤＶＤ１２の第一又は第二の記録面に照射される。
【００１５】
そして第一又は第二の記録面で光ビームＲ１が反射することにより得られる反射光Ｒ１はビームスプリッタ１６、コリメータレンズ１８及びシリンドリカルレンズ１９を順次介して光検出器２０の受光面（図示せず）に照射される。
【００１６】
光検出器２０は、受光面で受光した反射光Ｒ１の光量に応じた光量信号Ｓ１を生成し、これをＲＦアンプ２１に送出する。
【００１７】
ＲＦアンプ２１は、光量信号Ｓ１に基づいてトラッキングエラー信号Ｓ２、フォーカスエラー信号Ｓ３及びＲＦ信号Ｓ４を生成する。
【００１８】
そしてＲＦアンプ２１は、トラッキングエラー信号Ｓ２をＤＳＰ２２(Digital Signal Processor)を介してトラッキングドライバ２３に送出し、またフォーカスエラー信号Ｓ３をＤＳＰ２２を介してフォーカスドライバ２４に送出し、さらにＲＦ信号Ｓ４をＤＳＰ２２に送出する。
【００１９】
ＤＳＰ２２は、ＲＦ信号Ｓ４に対してアナログディジタル変換処理を施すことにより圧縮再生データＤ２を生成し、これを復調部２５に送出する。
【００２０】
復調部２５は、圧縮再生データＤ２に対して例えばＭＰＥＧ(Moving PictureExperts Group)と呼ばれる圧縮符号化規格に従った復号化処理を施すことにより映像データＤ３を生成し、これをディジタルアナログ変換回路（Ｄ／Ａ）２６を介して映像信号Ｓ４として表示部（図示せず）に送出する。
【００２１】
これにより光ディスク再生装置１０においては、ＤＶＤ１２から再生される映像信号Ｓ４に基づく映像を表示部に表示し得るようになされている。
【００２２】
一方、トラッキングドライバ２３は、ＤＳＰ２２から供給されるトラッキングエラー信号Ｓ２に基づいてレンズ駆動部２７を制御することにより、光ピックアップ１３の対物レンズ１７を矢印ａに示すＤＶＤ１２の径方向へ適宜移動させる。
【００２３】
これによりトラッキングドライバ２３は、レンズ駆動部２７を介して光ビームＲ１の焦点ｆ１をＤＶＤ１２の目標トラックに追尾させるようになされている。
【００２４】
またフォーカスドライバ２４は、ＤＳＰ２２から供給されるフォーカスエラー信号Ｓ３に基づいてフォーカスサーボ制御を実行するようになされている。
【００２５】
すなわちフォーカスドライバ２４は、フォーカスエラー信号Ｓ３の信号レベルに応じた移動量及び方向に従って、矢印ｂに示すように対物レンズ１７をレンズ駆動部２７を介して光ビームＲ１の光軸に沿ってＤＶＤ１２から遠ざける方向（以下、これを遠方向と呼ぶ）又はＤＶＤ１２に近づける方向（以下、これを近方向と呼ぶ）へ適宜移動させて対物レンズ１７と、第一又は第２層記録面との距離を調整することにより、光ビームＲ１の焦点ｆ１をＤＶＤ１２の記録面に追従させる。
【００２６】
従って光ディスク再生装置１０においては、ＤＶＤ１２から再生される映像信号Ｓ４を正確に得ることができ、その結果、高品質の映像を表示部に表示し得るようになされている。
【００２７】
ところで、ＤＶＤ１２の第一又は第２層記録面に追従させている光ビームＲ１の焦点ｆ１が外れると、当該光ビームＲ１が記録面で反射することにより得られる反射光Ｒ１の光量が極端に少なくなるので、ＲＦアンプ２１は光検出器２０を介して得られる光量信号Ｓ１に基づいてフォーカスエラー信号Ｓ３を生成できず、当該フォーカスエラー信号Ｓ３をフォーカスドライバ２４に送出しない。
【００２８】
この場合フォーカスドライバ２４は、所定期間フォーカスエラー信号Ｓ３を検出できないことにより、ＤＶＤ１２の記録面に追従させている光ビームＲ１の焦点ｆ１が外れたことを検知する。
【００２９】
このときフォーカスドライバ２４は、ＤＶＤ１２の記録面を探索するフォーカスサーチ制御を実行するようになされている。
【００３０】
すなわち図２に示すように、フォーカスドライバ２４は、ＤＶＤ１２の厚み方向へ順に設けられた第１層記録面１２Ａ及び第２層記録面１２Ｂのうち第１層記録面１２Ａに追従させている焦点ｆ１が外れたことを検知すると、当該検知時における光ビームＲ１の光軸Ｌａに沿って対物レンズ１７を遠方向へ移動させることにより、ＤＶＤ１２から所定距離ｄｉｓとおざかる探索開始位置ｂｐに戻す。
【００３１】
その後フォーカスドライバ２４は、光軸Ｌａを変えずに探索開始位置ｂｐから対物レンズ１７を近方向へ移動させることにより、第１層記録面１２Ａに対する焦点ｆ１を探索するようになされている。
【００３２】
この場合、対物レンズ１７が第１層記録面１２Ａに近づくにつれて光検出器２０（図１）で受光される光量が多くなるので、ＲＦアンプ２１（図１）は光検出器２０を介して得られる光量信号Ｓ１に基づいてフォーカスエラー信号Ｓ３を再び生成し、これをフォーカスドライバ２４に送出する。
【００３３】
ここでフォーカスドライバ２４は、フォーカスエラー信号Ｓ３に基づいて第１層記録面１２Ａに焦点ｆ１が合ったことを検知したとき、再度フォーカスサーボ制御を実行して光ビームＲ１の焦点ｆ１を第１層記録面１２Ａに追従させるようになされている。
【００３４】
これに対してフォーカスドライバ２４は、第１層記録面１２Ａに焦点ｆ１が合ったことを所定期間内に検知できなかったときには再生を中止する。
【００３５】
一方、フォーカスドライバ２４は、第２層記録面１２Ｂに追従させている焦点ｆ１が外れたことを検知したときにもフォーカスサーチ制御を実行し、まず第１層記録面１２Ａに対する焦点ｆ１を探索するようになされている。
【００３６】
そしてフォーカスドライバ２４は、第１層記録面１２Ａに焦点ｆ１が合ったことを検知したときにのみ、当該検出時の対物レンズ１７の位置（以下、これを第１層記録面検知位置と呼ぶ）ＲＴＰから光軸Ｌａに沿って対物レンズ１７を近方向へ移動させることにより、第２層記録面１２Ｂに対する焦点ｆ１を探索するようになされている。
【００３７】
ここで、ＤＶＤ１２においては、傷や偏心が生じている場合には、第１層記録面１２Ａ及び第２層記録面１２Ｂのいずれにも焦点ｆ１が合わないことが一般的であるので、第２層記録面１２Ｂに追従させている焦点ｆ１が外れたにも係わらず第１層記録面１２Ａに焦点ｆ１が合った場合には、振動等が要因となっている。
【００３８】
従ってフォーカスドライバ２４は、第１層記録面１２Ａに焦点ｆ１が合ったことを検知していることから、当該第２層記録面１２Ｂに焦点ｆ１をほぼ確実に合わせ得るようになされている。
【００３９】
これによりフォーカスドライバ２４は、ＤＶＤ１２と対物レンズ１７との接触を機械的に回避するためにＤＶＤ１２近傍に設けられたストッパ（図示せず）を利用することなく、電気的な制御により対物レンズ１７の接触をほぼ確実に回避し得るようになされている。
【００４０】
かくして光ディスク再生装置１０においては、対物レンズ１７をＤＶＤ１２に接触させることによって生じる破損をほぼ確実に回避するのみならず、ストッパに接触させることによって生じる光学系のぶれをもほぼ確実に回避することにより、当該光ディスク再生装置１０全体の機械的耐久性を向上することができるようになされている。
【００４１】
かかる光ディスク再生装置１０において、第２層記録面１２Ｂに追従させている際のフォーカス制御処理手順を図３に示すフローチャートを用いてまとめてみると、マイコン１１はルーチンＲＴの開始ステップから続くステップＳＰ１へ移る。
【００４２】
ステップＳＰ１においてマイコン１１は、フォーカスサーボ制御を実行してフォーカスエラー信号Ｓ３に基づいてＤＶＤ１２（図３）の第２層記録面１２Ｂに追従させている光ビームＲ１の焦点ｆ１が外れたか否かを判断する。
【００４３】
ここで否定結果が得られると、このことは第２層記録面１２Ｂに焦点ｆ１を追従できていることを表しており、このときマイコン１１は、引き続き第２層記録面１２Ｂに焦点ｆ１を追従させる。
【００４４】
これに対して肯定結果が得られると、マイコン１１は、第２層記録面１２Ｂに追従させている焦点ｆ１が外れたことを検知し、続くステップＳＰ２へ移る。
【００４５】
ステップＳＰ２においてマイコン１１は、フォーカスサーボ制御からフォーカスサーチ制御へ移行し、対物レンズ１７をステップＳＰ１で検知した際の光軸Ｌａに沿って探索開始位置ｂｐ（図２）に移動させ、続くステップＳＰ３へ移る。
【００４６】
ステップＳＰ３においてマイコン１１は、対物レンズ１７を探索開始位置ｂｐから近方向へ光軸Ｌａに沿って移動させて第１層記録面１２Ａに対する焦点ｆ１の探索を開始し、続くステップＳＰ４へ移る。
【００４７】
ステップＳＰ４においてマイコン１１は、フォーカスエラー信号Ｓ３に基づいて第１層記録面１２Ａに光ビームＲ１の焦点ｆ１が合ったか否かを判断する。ここで否定結果が得られると、このことは未だ第１層記録面１２Ａに焦点ｆ１が合っていないことを表しており、このときマイコン１１は、ステップＳＰ５へ移る。
【００４８】
ステップＳＰ５においてマイコン１１は、ステップＳＰ３で第１層記録面１２Ａに対する焦点ｆ１の探索を開始し始めてから所定の探索時間が経過したか否かを判断する。ここで否定結果が得られると、マイコン１１は、ステップＳＰ４に戻る。
【００４９】
このようにマイコン１１は、ステップＳＰ５において探索時間が経過する肯定結果が得られるまでステップＳＰ３で対物レンズ１７を光軸Ｌａに沿って近方向へ移動させるようになされている。
【００５０】
ここで、マイコン１１には、対物レンズ１７の移動速度と、探索開始位置ｂｐからＤＶＤ１２までの最大距離ｄｉｓ１（図２）とに基づいて、当該対物レンズ１７がストッパに接触する前に探索を中止し得る探索時間が設定されている。
【００５１】
これによりマイコン１１においては、傷や偏心が生じているＤＶＤ１２における第１層記録面１２Ａに対する焦点ｆ１が探索できないまま対物レンズ１７をＤＶＤ１２又はストッパに接触させてしまうことをほぼ確実に回避し得るようになされている。
【００５２】
従ってステップＳＰ５において探索時間が経過する肯定結果が得られると、マイコン１１は続くステップＳＰ６へ移って、対物レンズ１７とストッパとが接触してしまう前に再生を中止し、対物レンズ１７の破損を回避すると共に、光ディスク再生装置１０における光学系のぶれをも回避し得るようになされている。
【００５３】
このときマイコン１１は、ＤＶＤ１２に傷又は偏心の恐れがある旨をスピーカ（図示せず）又は表示部（図示せず）を介してユーザに通知し得るようになされている。
【００５４】
一方、ステップＳＰ４において第１層記録面１２Ａに光ビームＲ１の焦点ｆ１が合う肯定結果が得られると、このことはＤＶＤ１２に傷や偏心が生じていないことを表しており、このときマイコン１１は、残りの探索時間の範囲内で対物レンズ１７を第１層記録面検知位置ＲＴＰ（図２）から光軸Ｌａに沿って近方向へ移動させて第２層記録面１２Ｂを探索する。
【００５５】
この場合マイコン１１は、予め第１層記録面１２Ａを検知してＤＶＤ１２に傷や偏心が生じていないことを予め確認した上で第２層記録面１２Ｂを探索しているので、当該第２層記録面１２Ｂに対する焦点ｆ１を探索できないことをほぼ回避できることから、ＤＶＤ１２近傍に設けられたストッパに対物レンズ１７を接触させることなく第２層記録面１２Ｂに対する焦点ｆ１をほぼ確実に探索し得るようになされている。
【００５６】
その後マイコン１１は、フォーカスサーチ制御を終了してステップＳＰ１に戻り、再びフォーカスサーボ制御を実行する。
【００５７】
因みにマイコン１１は、フォーカスサーボ制御を実行している際に、第１層記録面１２Ａに追従させている光ビームＲ１の焦点ｆ１が外れたことを検知した場合には、フォーカスサーチ制御に移行して対物レンズ１７を探索開始位置ｂｐに移動させた後（ステップＳＰ２）に第１層記録面１２Ａに対する焦点ｆ１の探索を開始し（ステップＳＰ３）する。
【００５８】
そしてマイコン１１は、第１層記録面１２Ａに焦点ｆ１が合ったとき（ステップＳＰ４）には、再びフォーカスサーチ制御からフォーカスサーボ制御に移行して対物レンズ１７を第１層記録面検知位置ＲＴＰで維持させ、これに対して探索時間経過前に探索できなかったとき（ステップＳＰ５）には再生を中止する（ステップＳＰ６）ようになされている。
【００５９】
以上の構成において、検知手段としてのマイコン１１は、フォーカスドライバ２４を制御し、光検出器２０で検出される光量信号Ｓ１から得られるフォーカスエラー信号Ｓ３に基づいて、第２層記録面１２Ｂに追従させている光ビームＲ１の焦点ｆ１が外れたか又は合っているかを検知するようになされている。
【００６０】
この状態において、第２層記録面１２Ｂに追従させている光ビームＲ１の焦点ｆ１が外れたことを検知されたとき、フォーカスサーチ手段としてのマイコン１１は、フォーカスサーチ制御に移行し、フォーカスドライバ２４を介して対物レンズ１７を探索開始位置ｂｐから近方向へレンズ駆動部２７を介して移動させることにより、直接第２層記録面１２Ｂに焦点ｆ１を合わせることなくまず第１層記録面１２Ａに焦点ｆ１を合わせ、当該第１層記録面１２Ａに焦点ｆ１が合ったことを検知された場合にのみ当該第２層記録面１２Ｂに焦点ｆ１を合わせるようにした。
【００６１】
従ってマイコン１１は、第１層記録面１２Ａに焦点ｆ１が合ったことを理由に第２層記録面１２Ｂに追従させている焦点ｆ１が外れた要因としてＤＶＤ１２に生じたキズや偏心ではないことを確認した上で第２層記録面１２Ｂに焦点ｆ１を合わせているので、第２層記録面１２Ｂに対する焦点ｆ１が探索できないまま対物レンズ１７を機械的なストッパに接触させてしまうことを回避することができる。
【００６２】
この場合マイコン１１は、電気的な制御により機械的なストッパを利用することなくＤＶＤ１２への接触をほぼ確実に回避することができる。
【００６３】
これに加えてフォーカスサーチ手段としてのマイコン１１は、第１層記録面１２Ａへの焦点ｆ１を合わせる際にＤＶＤ１２に対する対物レンズ１７の接触回避用として設定された探索時間内で第１層記録面１２Ａ又は、第１層記録面１２Ａ及び第２層記録面１２Ｂの焦点ｆ１を探索するようにした。
【００６４】
この場合マイコン１１においては、第１層記録面１２Ａに焦点ｆ１が合ったことを検知された場合にのみ残りの探索時間の範囲内で第２層記録面１２Ｂに焦点ｆ１を合わせるので、第２層記録面１２Ｂに焦点ｆ１を合わせる際の探索時間における設定を省略することができる。
【００６５】
従ってマイコン１１においては、第１層記録面１２Ａ及び第２層記録面１２Ｂそれぞれ個別に設定された各探索時間内で個々の記録面１２Ａ及び１２Ｂに焦点ｆ１を合わせる場合に比して簡易な電気的制御であるため、第１層記録面検知位置ＲＴＰと、第２層記録面１２Ｂに焦点ｆ１が合ったときの対物レンズ１７の位置との差が数百[nm]であっても、機械的なストッパを利用することなくＤＶＤ１２への接触をほぼ確実に回避することができる。
【００６６】
以上の構成によれば、マイコン１１は、第２層記録面１２Ｂに照射されている光ビームＲの焦点ｆ１が外れた場合でもまず第１層記録面１２Ａへ焦点をｆ１合わせ、当該第１層記録面１２Ａに焦点ｆ１が合ったことを理由にＤＶＤ１２にキズや偏心が生じていないことを確認した上で第２層記録面１２Ｂに焦点ｆ１を合わせるようにしたことにより、電気的な制御により第２層記録面１２Ｂに対する焦点ｆ１が探索できないまま対物レンズ１７を機械的なストッパを利用することなくＤＶＤ１２への接触をほぼ確実に回避することができ、かくして対物レンズ１７の破損をほぼ確実に回避することができる。
【００６７】
なお上述の実施の形態においては、フォーカスサーチ手段としてのマイコン１１により探索時間が経過した際には再生を中止する場合について述べたが、本発明はこれに限らず、いわゆるリトライを行うようにしても良い。
【００６８】
この場合マイコン１１は、ＤＶＤ１２に傷又は偏心の恐れがある旨の通知の正確さを向上させることができる。
【００６９】
また上述の実施の形態においては、第１層記録面１２Ａと、第２層記録面１２Ｂとの２つの記録面を有するＤＶＤ１２を用いる場合について述べたが、本発明はこれに限らず、第１層記録面から第ｎ層記録面までの複数の記録面を有する種々の光ディスクを用いることができる。
【００７０】
さらに上述の実施の形態においては、本発明を光ディスク再生装置１０に適用する場合について述べたが、本発明はこれに限らず、光ディスク記録装置、光ディスク記録再生装置、光磁気ディスク装置、光ディスクを用いるプロジェクタ装置、又は例えばＤＶＤ１２及びＣＤ(Compact Disk)ともに使用可能な併用型の光ディスク装置等、この他種々の光ディスク装置に適用することができる。
【００７１】
この場合、第２層記録面１２Ｂに焦点ｆ１が合ったときの対物レンズ１７の位置と、ＤＶＤ１２の記録面側の表面１２Ｃとの距離ｄｉｓ２（図２）が光ビームＲ１の波長が異なるため一般的に狭く設計される併用型の光ディスク装置に本発明を適用すれば、第１層記録面１２Ａ及び第２層記録面１２Ｂそれぞれ個別に設定された各探索時間内で個々の記録面１２Ａ及び１２Ｂに焦点ｆ１を合わせる場合に比して簡易な電気的制御であるため、機械的なストッパを利用することなくＤＶＤ１２への接触をほぼ確実に回避することができるので特に効果的である。
【００７２】
【発明の効果】
上述のように本発明によれば、最外層の記録面に焦点が合ったことを理由に光ディスクにはキズや偏心等が生じていないことを確認した上で、焦点が外れた一の記録面に焦点を合わせるようにしたことにより、焦点が外れた一の記録面に対する焦点が検知されないために光ディスクに近づける方向へ移動させている対物レンズを光ディスクに接触させてしまうことをほぼ確実に電気的に制御することができ、かくして対物レンズの破損をほぼ確実に回避することができる。
【図面の簡単な説明】
【図１】本発明を適用した光ディスク再生装置の構成を示すブロック図である。
【図２】フォーカス制御処理の様子を示す略線図である。
【図３】フォーカス制御処理手順を示すフローチャートである。
【図４】従来によるフォーカス制御処理の様子を示す略線図である。
【符号の説明】
１０……光ディスク再生装置、１１……マイコン、１２……ＤＶＤ、１２Ａ……第１層記録面、１２Ｂ……第２層記録面、１３……光ピックアップ、１４……光源、１７……対物レンズ、２０……光検出器、２１……ＲＦアンプ、２２……ＤＳＰ、２３……トラッキングドライバ、２４……フォーカスドライバ、２７……レンズ駆動部。
【図１】
0003947966.tif 000002
【図２】
0003947966.tif 000003
【図３】
0003947966.tif 000004
【図４】
0003947966.tif 000005